(57)【特許請求の範囲】
【請求項１】
尾栓と一体に形成されるネジ杆を貫通、螺合させると共に、尾栓の回動によりネジ杆を回転させることで、筒体内壁に沿って上下方向に昇降し、その固持される円柱状の固形の糊体を筒体より出没自在としてなるものであって、上記ネジ杆が貫通することとなる板体の中央部を上方に向かって先鋭化する断面テーパー形状とすると共に、断面テーパー形状とした板体の中央部の側面において外方に向けて突出する単数或いは複数の係止突起を一体に形成してなる糊容器のスライダー。
【発明の詳細な説明】
【０００１】
【発明が属する技術分野】
この発明は、糊容器内に内装され、使用者の必要に応じて糊容器本体内より棒状の糊体を出没させてなるスライダーに関する。
【０００２】
【従来の技術】
従来、尾栓と一体に形成されるネジ杆を貫通、螺合させると共に、尾栓の回動によりネジ杆を回転させることによって、このネジ杆が貫通、螺合するスライダーを筒体内壁に条設するスリーブに沿って上下方向に昇降させつつその内部に保持される円柱状の固形の糊体を出没自在としてなる糊容器において使用されるスライダーは、中心に上記ネジ杆が貫通する貫通孔を有する有底無蓋の略円筒形状に形成するものが一般的である。
【０００３】
【発明が解決しようとする課題】
しかしながら、上記従来の糊容器におけるスライダーのように、中心に上記ネジ杆が貫通する貫通孔を有する有底無蓋の略円筒形に形成するものであっては、このスライダーの上下方向への昇降により出没自往となる棒状の糊体を保持するに当たっては側面と底面により保持するものであるため横方向に対しては強固に棒状の糊体を保持することができるが、縦方向、即ち上方に向かって引張される場合にはスライダー内部において十分に保持されていないため、棒状の糊体の先端が被塗布物等の表面に接着してしまって、棒状の糊体に対して引張力が加わった場合には容易にスライダー内部から抜出されることとなってしまうものであると共に、このスライダーによって棒状の糊体を保持するに当たって、この棒状の糊体を成形する際に液体の糊体がスライダー内部にも充填されることとなるが、このスライダー自体が有底無蓋の円筒状、即ち断面凹状となっているため、スライダー内部において固化した糊体は、スライダーを形成する側面により被塗布物の表面に密着できず、スライダー内部に残存することとなって、無駄になってしまうことがあり、たとえスライダーによって保持される棒状の糊体の不用意な抜出を防止するように抜け防止手段をスライダー内に突設するもの（実開昭５０−５７５３９号）であっても、この抜け防止手段によりスライダー内部からの棒状の糊体の不用意な抜出は防止できるが、スライダー内に使い切ることができず、糊体が残存してしまうことは同様に防ぎようのないものである。
【０００４】
そのため、棒状とした糊体を最後まで使い切ることができるように、棒状とした糊体を保持しつつも上下方向に昇降させてなる受皿や押し出し板等を平面とするもの（実開昭５２−１１０５５８号）、更に平面とした受皿や押し出し板等の表面に上方に向けて突出して棒状の糊体の底部と係合をすることとなる様々な突起を設けてなるもの（実公昭５３−４６８５５号等）が提案されている。しかしながら、棒状とした糊体を保持しつつも上下方向に昇降させてなる受皿や押し出し板等を平面として、受皿や押し出し板における側面を省略することによって、棒状の糊体を効率よく、上記受皿や押し出し板等の表面において上方に向けて突出する様々な突起の高さまで使い切ることができるようになるものであるが、この棒状の糊体を上下に昇降させる受皿や押し出し板等において従来のスライダーにある側面を省略して平面とし、またこの平面とした受皿や押し出し板等の表面に、実際棒状の糊体と受皿や押し出し板等との一体化のために係合することとなる様々な突起が主として上方に向けて突出して設けられているだけなので、棒状の糊体を突出させてスライドさせるだけでは、受皿や押し出し板等の表面に上方に向けて突出するように設けてなる様々な突起により径方向への引張力に対しては十分に耐えうるものとなっても、この棒状の糊体へ軸方向への引張力が作用した場合には、上記受皿や押し出し板等の表面に上方に向けて突出するように設けてなる様々な突起には軸方向には抵抗が生じないため容易に抜出してしまうものである。
【０００５】
また、平面とした受皿に保持されることとなる棒状の糊体に対して軸方向に引張力が加わった場合に容易に抜出することを防止するために、棒状の糊体中に一体に埋設され、平面状の受皿に線条体の先端に様々な形状の頭部を一体に形成してなる抜け防止手段を植立してなるもの（実開昭６０−１８８５１６号）が提案されているが、確かにこの受皿の表面に植立され、棒状の糊体中に一体に埋設されることとなる抜け防止手段において、線条体の先端に様々な形状の頭部が形成されているため、この抜け防止手段を線条体と共に構成する頭部が抵抗となって棒状の糊体に対して軸方向の引張力が加わっても容易に抜出してしまうことは防げるが、この抜け防止手段を頭部と共に構成する線条体は上下左右、あらゆる方向に対して折曲自在となってしまうため、抜け防止手段として十分な剛性、特に径方向への剛性を確保することができないものであるため、この受皿による棒状の糊体の保持は不十分なものとなるおそれがある。
【０００６】
そこで、この発明は上記従来のものの有する問題点を解決するものであり、棒状の糊体の抜出等の不具合の発生を防止しつつ、効率よく棒状の糊体を使い切ることがてきるようにするものである。
【０００７】
【課題を解決するための手段】
そのために、尾栓と一体に形成されるネジ杆を貫通、螺合させると共に、尾栓の回動によりネジ杆を回転させることで、筒体内壁に沿って上下方向に昇降し、その固持される円柱状の固形の糊体を筒体より出没自在としてなるものであって、上記ネジ杆が貫通することとなる板体の中央部を上方に向かって先鋭化する断面テーバー形状とすると共に、断面テーパー形状とした板体の中央部の側面において外方に向けて突出する単数或いは複数の係止突起を一体に形成してなるものである。
【０００８】
【発明の実施の形態】
スライダーにおいて、上記ネジ杆が貫通することとなる板体の中央部を上方に向かって先鋭化する断面テーパー形状とすると共に、その側面において外方に向けて突出する単数或いは複数の係止突起を一体に形成することで、棒状の糊体との係合する面積が増大することにより、棒状の糊体に軸方向の引張力が加わった場合に生じる抵抗がより大きくなると共に、スライダーを構成する板体の中央部の半径が大きくなることから、径方向への剛性も高まり、スライダーによる棒状の糊体の保持強度が著しく向上するものとなる上、棒状の糊体も糊容器をもって横倒させて使用することにより、同様にスライダーに側面がないためスライダーの係止突起の外周縁まで使うことができるものとなって、使い切ることができなくなる棒状の糊体の容積を最小限のものとすることができる。
【０００９】
【実施例】
この発明を図に示す実施例により更に説明する。図１において示す、（１）はこの発明の実施例を具えることのできる一般的な糊容器の例であり、この糊容器（１）は、キャップ（２）により密閉自在となる糊容器本体（５）の筒体（３）内において、尾栓（６）と一体に形成されるネジ杆（７）を貫通、螺合させると共に、この尾栓（６）の回動によりネジ杆（７）を回転させることによって、ネジ杆（７）が貫通、螺合するスライダー（９）を、上記筒体内壁（４）に条設するスリーブに沿って上下方向に昇降させ、このスライダー（９）により固持される棒状の糊体（８）を筒体（３）より出没自在としてなるものである。
【００１０】
そして、図２において示すものは、この発明の実施例であるスライダー（９’）であり、このスライダー（９’）は、ネジ杆（７）が貫通することとなる板体（１０）の中央部（１１’）を上方に向かって先鋭化する断面テーパー形状とすると共に、断面テーパー形状とした板体（１０）の中央部（１１’）の側面において外方に向けて突出する複数の係止突起（１３）を一体に形成してなるものである。また、図３に示すものは図２における断面テーバー形状の中央部（１１’）の底面の径を板体（１０）の径と同径としたものであり、このようにしても、スライダー（９’）に載置される糊体（８）を無駄なく使い切ることができるものである。
【００１１】
この発明の実施例であるスライダー（９’）が以上の構成を具えるので、糊容器（１）内において、上下に昇降することで、一体に固持する棒状の糊体（８）を筒体（３）より出没自在としてなるスライダー（９’）と、このスライダー（９’）に一体に固持されることとなる棒状の糊体（８）との係合する面積が増大することとなるので、使用者による使用により、この糊容器（１）の筒体（３）より突出してなる棒状の糊体（８）に対して、軸方向の引張力が加わった揚合に生じる抵抗が著しく大きくなると共に、この棒状の糊体（８）を一体に固持してなるスライダー（９’）を構成する板体（１０）のテーパー形状の中央部（１１’）の半径が大きくなることから、棒状の糊体（８）に対する径方向への耐性も高まり、スライダー（９’）による棒状の糊体（８）の保持強度が全体に著しく向上するものとなる。
【００１２】
その上、この発明の実施例であるスライダー（９’）に固持されることとなる棒状の糊体（８）は、糊容器（１）をもって傾倒させて使用することにより、スライダー（９’）に側面がないため、棒状の糊体（８）をスライダー（９’）の係止突起（１３）の外周縁（１３’）まで使うことができるものとなって、使用者が使い切ることができなくなる棒状の糊体（８）の容積を最小限のものとすることができるものである。
【００１３】
【発明の効果】
以上のとおり構成することで、糊容器を構成する筒体内より出没自在となる棒状の糊体は強固に固持されると共に、糊容器を横倒させて使用することにより最後まで使い切ることができるため、使用者の使用により棒状の糊体に対してあらゆる方向から引張力が加わっても抜出や折曲などの不具合が生じることを防止できると共に、糊体等の資源の有効利用を図ることができる優れた効果を有するものてある。
【図面の簡単な説明】
【図１】  この発明の実施例であるスライダーを具えることのできる一般的な糊容器の部分断面分解図である。
【図２】  図２は、この発明の実施例である糊容器のスライダーの全体斜視図である。
【図３】  図３は、図２の実施例と異なる実施例の縦断面図である。
【符号の説明】
１  糊容器
２  キャップ
３  筒体
４  筒体内壁
５  糊容器本体
６  尾栓
７  ネジ杆
８  棒状の糊体
９、９’  スライダー
１０  板体
１１  中央部
１３  係止突起
１３’  （係止突起の）外周縁
【図１】
0004258746.tif 000002
【図２】
0004258746.tif 000003
【図３】
0004258746.tif 000004